(57)【特許請求の範囲】
【請求項１】
冷凍サイクルの圧縮機（１０）からの吐出ガス冷媒を室内熱交換器（１８）に直接導入して車室内への送風空気を加熱するホットガスヒータサイクル（Ｈ）を備える車両用空調装置において、
車室内の暖房性能を向上させる暖房性能向上手段として、前記ホットガスヒータサイクル（Ｈ）を含む複数の暖房性能向上手段（Ｈ、３０）を備え、
さらに、前記車室内への送風空気を送風する空調用送風機（２３）と、
前記空調用送風機（２３）の送風空気が流れる空気通路を構成する空調ケース（２２）と、
暖房熱負荷の変動に応じて前記複数の暖房性能向上手段（Ｈ、３０）の作動を制御する制御装置（２６）とを備え、
前記ホットガスヒータサイクル（Ｈ）の前記室内熱交換器（１８）と、前記ホットガスヒータサイクル（Ｈ）以外の他の暖房性能向上手段（３０）は、前記空調ケース（２２）内に設置され、
前記車室内の暖房時に前記空調ケース（２２）内に外気が導入され、前記室内熱交換器（１８）と前記他の暖房性能向上手段（３０）は前記外気を加熱するようになっており、
前記制御装置（２６）は、前記暖房熱負荷が大きいときに前記複数の暖房性能向上手段（Ｈ、３０）を同時に作動させ、前記暖房熱負荷の減少により前記複数の暖房性能向上手段（Ｈ、３０）の作動を停止するに当たり、前記ホットガスヒータサイクル（Ｈ）の作動を停止した後に、前記他の暖房性能向上手段（３０）の作動を最後に停止することを特徴とする車両用空調装置。
【請求項２】
冷凍サイクルの圧縮機（１０）からの吐出ガス冷媒を室内熱交換器（１８）に直接導入して車室内への送風空気を加熱するホットガスヒータサイクル（Ｈ）を備える車両用空調装置において、
車室内の暖房性能を向上させる暖房性能向上手段として、前記ホットガスヒータサイクル（Ｈ）を含む複数の暖房性能向上手段（Ｈ、３０）を備え、
さらに、前記車室内への送風空気を送風する空調用送風機（２３）と、
前記空調用送風機（２３）の送風空気が流れる空気通路を構成する空調ケース（２２）と、
暖房熱負荷の変動に応じて前記複数の暖房性能向上手段（Ｈ、３０）の作動を制御する制御装置（２６）とを備え、
前記ホットガスヒータサイクル（Ｈ）の前記室内熱交換器（１８）と、前記ホットガスヒータサイクル（Ｈ）以外の他の暖房性能向上手段（３０）は、前記空調ケース（２２）内に設置され、
前記車室内の暖房時に前記空調ケース（２２）内に外気が導入され、前記室内熱交換器（１８）と前記他の暖房性能向上手段（３０）は前記外気を加熱するようになっており、
前記制御装置（２６）は、前記暖房熱負荷が大きいときに前記複数の暖房性能向上手段（Ｈ、３０）を同時に作動させ、前記暖房熱負荷の減少により前記複数の暖房性能向上手段（Ｈ、３０）の作動を停止するに当たり、前記ホットガスヒータサイクル（Ｈ）の作動を最初に停止することを特徴とする車両用空調装置。
【請求項３】
前記暖房熱負荷を、外気温、内気温、前記室内熱交換器（１８）の吹出空気温度のうち、少なくとも１つに基づいて判定することを特徴とする請求項１または２に記載の車両用空調装置。
【請求項４】
前記ホットガスヒータサイクル（Ｈ）以外の他の暖房性能向上手段として電気ヒータ（３０）を備えていることを特徴とする請求項１ないし３のいずれか１つに記載の車両用空調装置。
【請求項５】
前記電気ヒータ（３０）は、前記空調ケース（２２）内のうち前記室内熱交換器（１８）よりも送風空気下流側に設置されていることを特徴とする請求項４に記載の車両用空調装置。
【請求項６】
前記車室内への送風空気を温水を熱源として加熱する温水式の暖房用熱交換器（２４）が、前記空調ケース（２２）内に設置され、
前記複数の暖房性能向上手段（Ｈ、３０）は、前記温水式の暖房用熱交換器（２４）に対する補助暖房手段を構成することを特徴とする請求項１ないし５のいずれか１つに記載の車両用空調装置。
【請求項７】
前記車室内への送風空気を温水を熱源として加熱する温水式の暖房用熱交換器（２４）が、前記空調ケース（２２）内のうち前記室内熱交換器（１８）の送風空気下流側に設置され、
前記電気ヒータ（３０）は、前記空調ケース（２２）内のうち前記暖房用熱交換器（２４）の送風空気下流側に設置されていることを特徴とする請求項４または５に記載の車両用空調装置。
【請求項８】
前記温水式の暖房用熱交換器（２４）に循環する温水の温度を検出する水温センサ（２７ａ）を備え、
前記制御装置（２６）は、前記水温センサ（２７ａ）により検出される前記温水の温度に応じて前記複数の暖房性能向上手段（Ｈ、３０）の作動を制御することを特徴とする請求項６または７に記載の車両用空調装置。
【発明の詳細な説明】
【０００１】
【発明の属する技術分野】
本発明は、暖房時には圧縮機吐出ガス冷媒（ホットガス）を室内熱交換器（蒸発器）に直接導入することにより、室内熱交換器をガス冷媒の放熱器として使用するホットガス暖房機能を発揮する車両用空調装置に関するものである。
【０００２】
【従来の技術】
従来、車両用空調装置では冬期暖房時に温水（エンジン冷却水）を暖房用熱交換器に循環させ、この暖房用熱交換器にて温水を熱源として空調空気を加熱するようにしている。この場合、温水温度が低いときには車室内への吹出空気温度が低下して必要な暖房能力が得られない場合がある。
【０００３】
そこで、特開平５−２２３３５７号公報においては、ホットガスヒータサイクルにより暖房機能を発揮できる冷凍サイクル装置が提案されている。この従来装置では、エンジン始動時のごとく温水温度が所定温度より低いときには、圧縮機吐出ガス冷媒（ホットガス）を凝縮器をバイパスして蒸発器に導入するホットガスヒータサイクルを形成し、これにより、蒸発器でガス冷媒から空調空気に放熱して暖房機能を発揮できるようにしている。すなわち、上記の従来装置おいては、空調ケース内に設置された同一の室内熱交換器である蒸発器を冷房モード時の冷却器および暖房モード時の放熱器として切替使用している。
【０００４】
【発明が解決しようとする課題】
ところで、外気温が−１０°Ｃ以下に低下するような寒冷時には、ホットガスヒータサイクルにより暖房機能を発揮しても、なお、暖房能力が不足する場合がある。そこで、本発明者らは、ホットガスヒータサイクルに更に電気ヒータ等の補助暖房手段を組み合わせるものを検討中である。
【０００５】
そこで、本発明の目的は、少なくともホットガスヒータサイクルを含む複数の暖房性能向上手段を備える車両用空調装置において、乗員の温感に悪影響を及ぼすことなく、複数の暖房性能向上手段の作動を良好に制御することにある。
【０００６】
また、ホットガスヒータサイクルにおいては、空調ケース内に設置された同一の室内熱交換器を冷房モード時の冷却器および暖房モード時の放熱器として切替使用するので、冷房モード時の冷却除湿作用により発生した凝縮水が暖房モード時に蒸発して、窓ガラスの曇り発生の原因となる。
【０００７】
そこで、本発明の他の目的は、ホットガスヒータサイクルの運転に伴う車両窓ガラスの曇り発生を抑制することにある。
【０００８】
【課題を解決するための手段】
上記目的を達成するため、請求項１に記載の発明では、冷凍サイクルの圧縮機（１０）からの吐出ガス冷媒を室内熱交換器（１８）に直接導入して車室内への送風空気を加熱するホットガスヒータサイクル（Ｈ）を備える車両用空調装置において、
車室内の暖房性能を向上させる暖房性能向上手段として、ホットガスヒータサイクル（Ｈ）を含む複数の暖房性能向上手段（Ｈ、３０）を備え、
さらに、車室内への送風空気を送風する空調用送風機（２３）と、
空調用送風機（２３）の送風空気が流れる空気通路を構成する空調ケース（２２）と、
暖房熱負荷の変動に応じて複数の暖房性能向上手段（Ｈ、３０）の作動を制御する制御装置（２６）とを備え、
ホットガスヒータサイクル（Ｈ）の室内熱交換器（１８）と、ホットガスヒータサイクル（Ｈ）以外の他の暖房性能向上手段（３０）は、空調ケース（２２）内に設置され、
車室内の暖房時に空調ケース（２２）内に外気が導入され、室内熱交換器（１８）と他の暖房性能向上手段（３０）は外気を加熱するようになっており、
制御装置（２６）は、暖房熱負荷が大きいときに複数の暖房性能向上手段（Ｈ、３０）を同時に作動させ、暖房熱負荷の減少により複数の暖房性能向上手段（Ｈ、３０）の作動を停止するに当たり、ホットガスヒータサイクル（Ｈ）の作動を停止した後に、他の暖房性能向上手段（３０）の作動を最後に停止することを特徴とする。
【０００９】
これによると、外気温が非常に低くて暖房熱負荷が大きい時にホットガスヒータサイクル（Ｈ）を含む複数の暖房性能向上手段（Ｈ、３０）を同時に作動させて、車室内吹出空気の温度を上昇させ、極寒域における車室内暖房性能を向上できる。
しかも、暖房熱負荷の減少により複数の暖房性能向上手段（Ｈ、３０）の作動を停止するに当たり、ホットガスヒータサイクル（Ｈ）の作動を停止した後に、他の暖房性能向上手段（３０）の作動を最後に停止するから、複数の暖房性能向上手段（Ｈ、３０）を同時に作動、停止させずに、暖房熱負荷の変動に応じて複数の暖房性能向上手段（Ｈ、３０）の作動数を変化させることができる。これにより、暖房性能向上手段の作動切替時における車室内吹出空気温度の変動を抑制できる。そのため、複数の暖房性能向上手段の作動切替に伴う乗員の温感変化を低減できる。
さらに、請求項１に記載の発明によると、ホットガスヒータサイクル（Ｈ）が作動するのは、上記のように暖房熱負荷が大きい極寒域のみであって、この極寒域では空調ケース（２２）内に導入される外気温度が十分低い温度であるので、この導入外気をホットガスヒータサイクル（Ｈ）の室内熱交換器（１８）でのガス冷媒放熱によって加熱しても、導入外気の温度が、室内熱交換器（１８）表面に付着した凝縮水を蒸発させるほどの高い温度まで上昇せず、凝縮水の蒸発を抑制できる。そのため、暖房熱負荷が大きい極寒域に、凝縮水の蒸発に起因する窓ガラスの曇り発生を抑制できる。
【００１１】
請求項１に記載の発明では、上記のように暖房熱負荷が大きい極寒域のみに、ホットガスヒータサイクル（Ｈ）を作動させ、暖房熱負荷が減少した時はホットガスヒータサイクル（Ｈ）の作動を先に停止し、その後に、他の暖房性能向上手段（３０）の作動を最後に停止するから、ホットガスヒータサイクル（Ｈ）の作動に伴う車両窓ガラスの曇り発生を抑制できる。
【００１２】
つまり、暖房熱負荷が小さい領域では暖房熱負荷の小さい分だけ、ホットガスヒータサイクル（Ｈ）の作動により室内熱交換器（１８）の温度が高くなる。そのため、室内熱交換器（１８）の表面に凝縮水が付着している場合には、この凝縮水が蒸発しやすくなって車両窓ガラスの曇り発生の原因となるが、請求項１に記載の発明によると、暖房熱負荷の減少により複数の暖房性能向上手段（Ｈ、３０）の作動を停止するに当たり、ホットガスヒータサイクル（Ｈ）の作動を停止した後に、ホットガスヒータサイクル（Ｈ）以外の他の暖房性能向上手段（３０）の作動を最後に停止するから、凝縮水が蒸発しやすい暖房熱負荷が小さい領域ではホットガスヒータサイクル（Ｈ）を停止することができる。これによって、室内熱交換器（１８）での凝縮水の蒸発を抑制して車両窓ガラスの曇り発生を抑制できる。
【００１５】
請求項２に記載の発明では、冷凍サイクルの圧縮機（１０）からの吐出ガス冷媒を室内熱交換器（１８）に直接導入して車室内への送風空気を加熱するホットガスヒータサイクル（Ｈ）を備える車両用空調装置において、
車室内の暖房性能を向上させる暖房性能向上手段として、ホットガスヒータサイクル（Ｈ）を含む複数の暖房性能向上手段（Ｈ、３０）を備え、
さらに、車室内への送風空気を送風する空調用送風機（２３）と、
空調用送風機（２３）の送風空気が流れる空気通路を構成する空調ケース（２２）と、
暖房熱負荷の変動に応じて前記複数の暖房性能向上手段（Ｈ、３０）の作動を制御する制御装置（２６）とを備え、
ホットガスヒータサイクル（Ｈ）の室内熱交換器（１８）と、ホットガスヒータサイクル（Ｈ）以外の他の暖房性能向上手段（３０）は、空調ケース（２２）内に設置され、
車室内の暖房時に空調ケース（２２）内に外気が導入され、室内熱交換器（１８）と他の暖房性能向上手段（３０）は外気を加熱するようになっており、
制御装置（２６）は、暖房熱負荷が大きいときに複数の暖房性能向上手段（Ｈ、３０）を同時に作動させ、暖房熱負荷の減少により複数の暖房性能向上手段（Ｈ、３０）の作動を停止するに当たり、ホットガスヒータサイクル（Ｈ）の作動を最初に停止することを特徴とする。
【００１６】
これにより、暖房熱負荷の減少によりホットガスヒータサイクル（Ｈ）の作動を最初に停止し、その後に、ホットガスヒータサイクル（Ｈ）以外の他の暖房性能向上手段（３０）の作動を停止するから、請求項１に記載の発明と同様の作用効果を奏することができる。
【００１７】
請求項３に記載の発明のように、請求項１または２において、暖房熱負荷は、具体的には、外気温、内気温、室内熱交換器（１８）の吹出空気温度のうち、少なくとも１つに基づいて判定することができる。
請求項４に記載の発明のように、請求項１ないし３のいずれか１つにおいて、ホットガスヒータサイクル（Ｈ）以外の他の暖房性能向上手段として電気ヒータ（３０）を備えれば、車室内の暖房性能を電気ヒータにて簡便に向上できる。
請求項５に記載の発明のように、請求項４において、電気ヒータ（３０）は、具体的には、空調ケース（２２）内のうち室内熱交換器（１８）よりも送風空気下流側に設置される。
【００１９】
請求項６に記載の発明では、請求項１ないし５のいずれか１つにおいて、車室内への送風空気を温水を熱源として加熱する温水式の暖房用熱交換器（２４）が、空調ケース（２２）内に設置され、
複数の暖房性能向上手段（Ｈ、３０）は、温水式の暖房用熱交換器（２４）に対する補助暖房手段を構成することを特徴とする。
【００２０】
これにより、暖房熱負荷の大きいときは、温水式の暖房用熱交換器（２４）による主暖房作用に、複数の暖房性能向上手段（Ｈ、３０）による補助暖房作用を組み合わせて、車室内暖房性能を速やかに立ち上げることができる。
【００２１】
請求項７に記載の発明では、請求項４または５において、車室内への送風空気を温水を熱源として加熱する温水式の暖房用熱交換器（２４）が、空調ケース（２２）内のうち室内熱交換器（１８）の送風空気下流側に設置され、
電気ヒータ（３０）は、空調ケース（２２）内のうち暖房用熱交換器（２４）の送風空気下流側に設置されていることを特徴とする。
これにより、暖房熱負荷の大きいときは、温水式の暖房用熱交換器（２４）による主暖房作用に、ホットガスヒータサイクル（Ｈ）と電気ヒータ（３０）による補助暖房作用を組み合わせて、車室内暖房性能を速やかに立ち上げることができる。
請求項８に記載の発明では、請求項６または７において、温水式の暖房用熱交換器（２４）に循環する温水の温度を検出する水温センサ（２７ａ）を備え、
制御装置（２６）は、水温センサ（２７ａ）により検出される温水の温度に応じて複数の暖房性能向上手段（Ｈ、３０）の作動を制御することを特徴とする。
【００２２】
これにより、温水式の暖房用熱交換器（２４）による主暖房性能が不足する時のみに複数の暖房性能向上手段（Ｈ、３０）を作動させることができる。
【００２３】
なお、上記各手段の括弧内の符号は、後述する実施形態に記載の具体的手段との対応関係を示すものである。
【００２４】
【発明の実施の形態】
以下本発明の一実施形態を図に基づいて説明する。図１は本発明の一実施形態による車両用空調装置の全体構成を例示している。圧縮機１０は、電磁クラッチ１１を介して水冷式の車両エンジン１２により駆動されるもので、例えば、固定容量型の斜板型圧縮機から構成される。
【００２５】
圧縮機１０の吐出側は冷房用電磁弁１３を介して凝縮器１４に接続され、この凝縮器１４の出口側は冷媒の気液を分離して液冷媒を溜める受液器１５に接続される。凝縮器１４は圧縮機１０等とともに車両エンジンルームに配置され、電動式の冷却ファン１４ａにより送風される外気（冷却空気）と熱交換する室外熱交換器である。
【００２６】
そして、受液器１５の出口側は冷房用減圧装置をなす温度式膨張弁１６に接続されている。この温度式膨張弁１６の出口側は逆止弁１７を介して蒸発器１８に接続されている。蒸発器１８の出口側はアキュームレータ１９を介して圧縮機１０の吸入側に接続されている。
【００２７】
上記した圧縮機１０の吐出側から冷房用電磁弁１３→凝縮器１４→受液器１５→温度式膨張弁１６→逆止弁１７→蒸発器１８→アキュームレータ１９を経て圧縮機１０の吸入側に戻る閉回路により通常の冷房用冷凍サイクルＣが構成される。
【００２８】
温度式膨張弁１６は周知のごとく通常の冷凍サイクル運転時（冷房モード時）に蒸発器１８出口冷媒の過熱度が所定値に維持されるように弁開度（冷媒流量）を調整するものである。アキュームレータ１９は冷媒の気液を分離して液冷媒を溜め、ガス冷媒および底部付近の少量の液冷媒（オイルが溶け込んでいる）を圧縮機１０側へ吸入させる。
【００２９】
一方、圧縮機１０の吐出側と蒸発器１８の入口側との間に、凝縮器１４等をバイパスするホットガスバイパス通路２０が設けてあり、このバイパス通路２０には暖房用電磁弁２１および絞り２１ａが直列に設けてある。この絞り２１ａは暖房用減圧装置をなすものであり、オリフィス、キャピラリチューブ等の固定絞りで構成することができる。圧縮機１０の吐出側から暖房用電磁弁２１→絞り２１ａ→蒸発器１８→アキュームレータ１９を経て圧縮機１０の吸入側に戻る閉回路により暖房用のホットガスヒータサイクルＨが構成される。
【００３０】
車両用空調装置の空調ケース２２は車室内へ向かって空気が流れる空気通路を構成するもので、この空調ケース２２内を電動式の空調用送風機２３により空気が送風される。空調用送風機２３は、図示の簡略化のために軸流式で示しているが、実際は、遠心式ファンを持つ遠心式送風機であり、この空調用送風機２３は送風機駆動回路により制御されるブロワモータ２３ａにより回転駆動される。なお、本実施形態の送風機２３の送風量は、ブロワモータ２３ａに印加するブロワ制御電圧を調整することにより、連続的または段階的に切り替え可能になっている。
【００３１】
また、空調用送風機２３の吸入側には、車室外空気（以下外気と言う）を吸い込むための外気吸込口７０、車室内空気（以下内気と言う）を吸い込むための内気吸込口７１、および内外気切替ドア７２が設けられている。なお、内外気切替ドア７２は、図示しないリンク機構を介してサーボモータ等のアクチュエータにより駆動されて、外気吸込口７０から外気を吸い込む外気モードと内気吸込口７１から内気を吸い込む内気モードとを少なくとも切り替える内外気切替手段を構成する。
【００３２】
蒸発器１８は空調ケース２２内に設置される室内熱交換器であって、冷房モード時には冷房用冷凍サイクルＣにより冷媒が循環して、蒸発器１８での冷媒蒸発（吸熱）により空調用送風機２３の送風空気が冷却される。また、暖房モード時には、蒸発器１８はホットガスバイパス通路２０からの高温冷媒ガス（ホットガス）が流入して空気を加熱するので、放熱器としての役割を果たす。
【００３３】
空調ケース２２内において蒸発器１８の空気下流側には、車両エンジン１２からの温水（エンジン冷却水）を熱源として送風空気を加熱する温水式の暖房用熱交換器２４が設置されている。この暖房用熱交換器２４への温水回路には温水流れを制御する温水弁２５が備えられている。
【００３４】
そして、空調ケース２２内において暖房用熱交換器２４の空気下流側には電気ヒータ３０が設けてある。この電気ヒータ３０は空調ケース２２内の送風空気が通過する空気通過流路を持つ形状、例えば、ハニカム形状に形成され、空調ケース２２内の送風空気の全量を加熱できるようになっている。
【００３５】
ところで、温水式の暖房用熱交換器２４は、車室内の暖房のための主暖房手段をなすものであり、これに対して、ホットガスヒータサイクルＨによる暖房手段および電気ヒータ３０による暖房手段は補助暖房手段であって、本発明の暖房性能向上手段を構成する。
【００３６】
一方、空調ケース２２の最も空気下流側には、車両フロント窓ガラスの内面に向けて空調風（主に温風）を吹き出すためのデフロスタ（ＤＥＦ）吹出口３１、車両乗員の顔部（上半身）に向けて空調風（主に冷風）を吹き出すためのフェイス（ＦＡＣＥ）吹出口３２、車両乗員の足元部（下半身）に向けて空調風（主に温風）を吹き出すためのフット（ＦＯＯＴ）吹出口３３、およびこれらの各吹出口を選択的に開閉する複数個のモード切替ドア３４〜３６が回動可能に設けられている。なお、このモード切替ドア３４〜３６は吹出モード切替手段を構成するものであって、図示しないリンク機構を介してサーボモータ等のアクチュエータにより駆動される。
【００３７】
空調用電子制御装置（以下ＥＣＵという）２６は、マイクロコンピュータとその周辺回路から構成され、予め設定されたプログラムに従って所定の演算処理を行って、電磁弁１３、２１の開閉およびその他の電気機器（１１、１４ａ、２３、２５、３０等）の作動を制御する。
【００３８】
図２は本実施形態の電気制御ブロック図であり、ＥＣＵ２６には、車両エンジン１２の水温センサ２７ａ、外気温センサ２７ｂ、蒸発器１８の温度検出手段をなす蒸発器吹出温度センサ２７ｃ、圧縮機吐出圧力の圧力センサ２７ｄ、内気温センサ２７ｅ、車室内への日射量を検出する日射センサ２７ｆ等のセンサ群から検出信号が入力される。
【００３９】
また、車室内計器盤付近に設置される空調操作パネル２８の操作スイッチ群２９からの操作信号がＥＣＵ２６に入力される。この操作スイッチ群２９として以下のスイッチが設置されている。エアコンスイッチ２９ａは冷凍サイクルの圧縮機１０の起動または停止を指令するものであり、冷房モードを設定する冷房スイッチの役割を果たす。ホットガススイッチ２９ｂはホットガスヒータサイクルＨによる暖房モードを設定するもので、暖房スイッチの役割を果たす。
【００４０】
更に、空調操作パネル２８には、空調の吹出モードを切り替える吹出モード切替スイッチ２９ｃ、車室内の温度を所望の温度に設定する温度設定スイッチ（温度設定手段）２９ｄ、送風機２３のオン、オフおよび風量切替を指令するブロワスイッチ２９ｅ、外気モードと内気モードの切替を指令する内外気切替スイッチ２９ｆ等が設置されている。
【００４１】
次に、上記構成において本実施形態の作動を説明する。まず、最初に、冷凍サイクル部分の作動を説明すると、冷房モード時には、ＥＣＵ２６により冷房用電磁弁１３が開状態とされ、暖房用電磁弁２１が閉状態とされる。従って、電磁クラッチ１１が接続状態となり、圧縮機１０が車両エンジン１２にて駆動されると、圧縮機１０の吐出ガス冷媒は開状態の冷房用電磁弁１３を通過して凝縮器１４に流入する。
【００４２】
凝縮器１４では、冷却ファン１４ａにより送風される外気にて冷媒が冷却されて凝縮する。そして、凝縮器１４通過後の冷媒は受液器１５で気液分離され、液冷媒のみが温度式膨張弁１６で減圧されて、低温低圧の気液２相状態となる。
【００４３】
次に、この低圧冷媒は逆止弁１７を通過して蒸発器１８内に流入して送風機２３の送風する空調空気から吸熱して蒸発する。蒸発器１８で冷却された空調空気は車室内へ吹き出して車室内を冷房する。蒸発器１８で蒸発したガス冷媒はアキュームレータ１９を介して圧縮機１０に吸入され、圧縮される。
【００４４】
冬期の暖房モード時には、ＥＣＵ２６により冷房用電磁弁１３が閉状態とされ、暖房用電磁弁２１が開状態とされ、ホットガスバイパス通路２０が開通する。このため、圧縮機１０の高温吐出ガス冷媒（過熱ガス冷媒）が開状態の暖房用電磁弁２１を通って絞り２１ａで減圧された後、蒸発器１８に流入する。
【００４５】
このとき、逆止弁１７はホットガスバイパス通路２０からのガス冷媒が温度式膨張弁１６側へ流れるのを防止する。従って、冷凍サイクルは、圧縮機１０の吐出側→暖房用電磁弁２１→絞り２１ａ→蒸発器１８→アキュームレータ１９→圧縮機１０の吸入側に戻る閉回路（ホットガスヒータサイクルＨ）にて運転される。
【００４６】
そして、絞り２１ａで減圧された後の過熱ガス冷媒が蒸発器１８にて送風空気に放熱して、送風空気を加熱する。ここで、蒸発器１８にてガス冷媒から放出される熱量は、圧縮機１０の圧縮仕事量に相当するものである。蒸発器１８で放熱したガス冷媒はアキュームレータ１９を介して圧縮機１０に吸入され、圧縮される。
【００４７】
従って、温水式の暖房用熱交換器２４に温水弁２５を介して温水を流すことにより、蒸発器１８で加熱された送風空気を熱交換器２４において更に加熱することができる。そして、電気ヒータ３０に通電すれば、暖房用熱交換器２４通過後の温風を電気ヒータ３０により更に加熱することができるので、より温度の高い温風を車室内へ吹き出すことができる。なお、空調用送風機２３は、エンジン１２の温水温度が低いときは低風量で作動するようにウォームアップ制御してもよい。
【００４８】
次に、本実施形態による冬期暖房時におけるホットガスヒータサイクルＨと電気ヒータ３０の具体的作動の制御例を図３により説明する。図３の制御ルーチンは、例えば、車両エンジン１２のイグニッションスイッチ（図示せず）が投入され、かつ、空調側の操作スイッチ群２９のホットガススイッチ２９ｂの投入によりスタートし、ステップＳ１００にてフラグＦ＝０、タイマカウント＝０等の初期化を行う。次に、ステップＳ１１０にて各センサ２７ａ〜２７ｆおよび空調操作パネル２８の各操作スイッチ２９ａ〜２９ｆからの信号を読み込む。
【００４９】
次に、ステップＳ１２０にて外気温が第１所定値（例えば、１０°Ｃ）以下であるか判定する。この第１所定値は電気ヒータによる補助暖房を必要とする低外気温域を判定するしきい値であって、本例では１０°Ｃとしている。外気温が第１所定値以下のときは、ステップＳ１３０に進みエンジン水温が第１所定値（例えば、８０°Ｃ）以下であるか判定する。
【００５０】
エンジン水温が第１所定値以下のときは次のステップＳ１４０にて電気ヒータ３０に通電して、電気ヒータ３０により車室内への吹出空気を加熱する状態（ヒータＯＮ状態）とする。次に、ステップＳ１５０にて外気温が第１所定値よりも低い第２所定値（例えば、−１０°Ｃ）以下であるか判定する。この第２所定値はホットガスヒータサイクルＨの作動を必要とする極寒域を判定するしきい値であって、本例では−１０°Ｃとしている。
【００５１】
外気温が第２所定値以下のときは次のステップＳ１６０にて、エンジン水温が第１所定値よりも低い第２所定値（例えば、６０°Ｃ）以下であるか判定する。そして、エンジン水温が第２所定値以下のときは次のステップＳ１７０にて、冷房用電磁弁１３を閉、暖房用電磁弁２１を開の状態にして、ホットガスヒータサイクルＨによる暖房モードを設定する。
【００５２】
つまり、外気温が第２所定値（例えば、−１０°Ｃ）以下の極寒域であって、且つ、エンジン水温が第２所定値（例えば、６０°Ｃ）以下である時は、ホットガスヒータサイクルＨを作動させると同時に、電気ヒータ３０をＯＮ状態とするから、−１０°Ｃ以下の極低温の外気を蒸発器１８にてホットガスにより加熱し、その後、送風空気を温水式熱交換器２４及び電気ヒータ３０により加熱できる。従って、温水式熱交換器２４の主暖房作用に対してホットガスヒータサイクルＨと電気ヒータ３０の両者が補助暖房作用を発揮して、車室内吹出空気の温度を上昇させ、極寒域における車室内暖房性能を向上できる。
【００５３】
次に、ステップＳ１８０にてフラグＦ＝０か判定する。ホットガススイッチ２９ｂの投入後の最初（１回目）の判定であれば、フラグＦ＝０であるので、ステップＳ１９０に進み、圧力センサ２７ｄにより検出される圧縮機１０の吐出圧Ｐｄが所定値（例えば、２０ｋｇ／ｃｍ2 Ｇ）以下であるか判定する。吐出圧Ｐｄが所定値以下であれば、ステップＳ２００に進み、電磁クラッチ１１をＯＮし、圧縮機１０を作動させる。
【００５４】
これに対し、圧縮機１０の吐出圧Ｐｄが所定値より高いときは、ステップＳ１９０からステップＳ２１０に進み、電磁クラッチ１１をＯＦＦし、圧縮機１０を停止させるとともに、フラグＦ＝１に更新する。ここで、ステップＳ１９０〜Ｓ２１０による圧縮機１０の断続制御は、ホットガスヒータサイクルＨの作動時に圧縮機１０の吐出圧Ｐｄの上限を上記所定値以内に制御することにより、圧縮機１０の吐出圧Ｐｄの異常上昇を未然に防止して、圧縮機１０の耐久寿命への悪影響を回避するために行っている。
【００５５】
一方、電磁クラッチ１１がＯＦＦ状態（フラグＦ＝１）になると、ステップＳ１８０の判定がＮＯとなり、ステップＳ２２０にてタイマカウント数が所定数（本例では３０）以上であるか判定する。ここで、タイマカウント数＝３０は３０秒程度の時間に相当する。タイマカウントが３０より小さいときはステップＳ２３０に進み、タイマカウント数を１つづつ加算していく。次のステップＳ２４０にて電磁クラッチ１１のＯＦＦ状態を維持する。
【００５６】
そして、タイマカウント数が３０以上になると、ステップＳ２２０からステップＳ２５０に進み電磁クラッチ１１をＯＮ状態（フラグＦ＝０）にする。以上により、電磁クラッチ１１が一旦ＯＦＦ状態になると、タイマカウント数が所定数（本例では３０）になるまでの間、つまり、電磁クラッチＯＦＦ後、略３０秒の時間が経過するまでの間は電磁クラッチ１１のＯＦＦ状態が維持される。そのため、電磁クラッチ１１（圧縮機１０）が過度に頻繁に断続されることを防止できる。
【００５７】
一方、ステップＳ１２０、Ｓ１３０の判定がＮＯのときは電気ヒータ３０の補助暖房が不要であるので、ステップＳ２６０にて電気ヒータ３０がＯＦＦ状態となる。また、ステップＳ１５０、Ｓ１６０の判定がＮＯのときはホットガスヒータサイクルＨによる補助暖房が不要であるので、ステップＳ２７０にて冷房用電磁弁１３を開、暖房用電磁弁２１を閉の状態にして、冷凍サイクルを冷房モードの状態にし、ホットガスヒータサイクルＨを停止状態とする。そして、ステップＳ２４０にて電磁クラッチ１１をＯＦＦ状態にする。
【００５８】
次に、本実施形態の作用効果を説明すると、（１）外気温が第２所定値（例えば、−１０°Ｃ）以下の極寒域であって、且つ、エンジン水温が第２所定値（例えば、６０°Ｃ）以下である時は、ホットガスヒータサイクルＨを作動させると同時に、電気ヒータ３０をＯＮ状態とするから、温水式熱交換器２４の主暖房作用に対してホットガスヒータサイクルＨと電気ヒータ３０の両者が補助暖房作用を発揮して、車室内吹出空気の温度を上昇させ、極寒域における車室内暖房性能を向上できる。
【００５９】
（２）外気温が上記第２所定値より高くなるか、エンジン水温が上記第２所定値より高くなると、ホットガスヒータサイクルＨを停止して、電気ヒータ３０のみを作動させる。そして、外気温が第１所定値（例えば、１０°Ｃ）より高くなるか、エンジン水温が第１所定値（例えば、８０°Ｃ）より高くなると、電気ヒータ３０を停止して、温水式熱交換器２４の加熱作用のみで車室内吹出空気を加熱する。
【００６０】
このように、外気温またはエンジン水温の変化に応動して、ホットガスヒータサイクルＨと電気ヒータ３０の同時作動の状態と、電気ヒータ３０単独の作動状態と、ホットガスヒータサイクルＨと電気ヒータ３０の両方の同時停止状態とを順次切り替えているから、ホットガスヒータサイクルＨと電気ヒータ３０の両方を同時に作動、停止させる場合に比較して、作動切替時における車室内吹出空気温度の変動を抑制できる。そのため、補助暖房手段の作動切替に伴う乗員の温感変化を低減でき、暖房フィーリングを良好に維持できる。
【００６１】
（３）ホットガスヒータサイクルＨを外気温が第２所定値（例えば、−１０°Ｃ）以下となる極寒域に作動させ、外気温が第２所定値より高くなると、ホットガスヒータサイクルＨを停止するから、ホットガスヒータサイクルＨの運転に伴う車両窓ガラスの曇り発生を抑制できる。
【００６２】
すなわち、冬期暖房時には、窓ガラスの曇り止めのために、通常、内外気吸い込みモードとして外気モードが選択されるので、空調ケース２２内に外気が導入され、外気が蒸発器１８を通過するのであるが、ホットガスヒータサイクルＨの運転時は外気が−１０°Ｃ以下の極低温であるため、蒸発器１８で加熱されても外気は０℃付近あるいは０℃を若干上回る程度の温度までしか上昇しない。このため、前回の冷凍サイクル運転時に冷房モードが設定され、蒸発器１８表面に凝縮水が付着していても、この凝縮水がホットガスヒータサイクルＨの運転により再蒸発するのを抑制できる。この結果、ホットガスヒータサイクルＨの運転に伴う車両窓ガラスの曇り発生を抑制できる。
【００６３】
（他の実施形態）
なお、本発明は上記の一実施形態に限定されることなく、次のように種々変形可能である。
【００６４】
▲１▼上記の一実施形態では、暖房熱負荷を判定する情報として外気温を用い、ステップＳ１２０にて外気温が第１所定値（例えば１０℃）より低いかどうかを判定して、電気ヒータ３０の作動（ＯＮ）、停止（ＯＦＦ）を決定しているが、ステップＳ１２０にて外気温の代わりに内気温を用い、内気温が所定値（例えば５℃）低いかどうかを判定して、電気ヒータ３０の作動（ＯＮ）、停止（ＯＦＦ）を決定するようにしてもよい。
【００６５】
▲２▼ステップＳ１２０にて外気温や内気温の代わりに蒸発器吹出空気温度を用い、蒸発器吹出空気温度が所定値（例えば０℃）より低いかどうかを判定して、電気ヒータ３０の作動（ＯＮ）、停止（ＯＦＦ）を決定するようにしてもよい。
【００６６】
▲３▼同様に、ホットガスヒータサイクルＨの作動制御に際して、外気温の代わりに内気温や蒸発器吹出空気温度を用いて、ホットガスヒータサイクルＨの作動、停止を決定するようにしてもよい。
【００６７】
▲４▼上記の一実施形態では、電気ヒータ３０を暖房熱負荷（外気温）の変動により単純にＯＮ、ＯＦＦさせているが、電気ヒータ３０の発熱量を暖房熱負荷が高くなるにつれて増加するように多段階に切り替えるようにしてもよい。
【００６８】
▲５▼上記の一実施形態では、補助暖房手段（暖房性能向上手段）としてホットガスヒータサイクルＨの他に電気ヒータ３０を組み合わせているが、電気ヒータ３０の代わりに燃焼式ヒータを補助暖房手段として用いてもよい。また、補助暖房手段としてビスカスヒータを用いてもよい。このビスカスヒータは粘性流体内でロータを回転させることにより、回転エネルギ（機械エネルギ）を熱エネルギに変換するものであって、特開平２−２４６８２３号公報等により車両用空調装置の補助暖房手段として公知である。
【００６９】
▲６▼更に、電気ヒータ３０の代わりに内外気２層ユニットを暖房性能向上手段として、ホットガスヒータサイクル（ホットガスヒータサイクル）Ｈに組み合わせてもよい。ここで、内外気２層ユニットは特開平６−２５５３４１号公報等により公知であり、空調ケース２２内の空気通路をデフロスタ吹出口３１側の空気通路とフット吹出口３３側の空気通路とに仕切るとともに、送風機２３により外気をデフロスタ吹出口３１側の空気通路に、また内気をフット吹出口３３側の空気通路にそれぞれ仕切ったまま送風できるようにしている。これにより、前述の電気ヒータ３０の作動領域では電気ヒータＯＮの代わりに内外気２層モードを設定することにより、車両窓ガラスの防曇性能を確保しつつ、フット吹出口３３からは内気再循環による温度の高い温風を吹き出すことができ、車室内の暖房性能を向上できる。
【００７０】
▲７▼上記の一実施形態では、補助暖房手段（暖房性能向上手段）として、ホットガスヒータサイクル（ホットガスヒータサイクル）Ｈと電気ヒータ３０との２つを組み合わせているが、補助暖房手段（暖房性能向上手段）として、ホットガスヒータサイクル（ホットガスヒータサイクル）Ｈの他に、電気ヒータ３０、燃焼式ヒータ、ビスカスヒータ、内外気２層ユニット等を２つ以上組み合わせてもよい。
【００７１】
▲８▼上記の一実施形態では、冷房モード時に、受液器１５において気液分離された液冷媒を温度式膨張弁１６により減圧させ、温度式膨張弁１６により蒸発器１８の出口冷媒の過熱度を調整するように冷房用冷凍サイクルＣを構成しているが、受液器１５を廃止し、かつ、冷房用減圧手段として固定絞りを用いることにより、冷房用冷凍サイクルＣを、蒸発器１８の出口冷媒の過熱度を調整しない、いわゆるアキュムレータサイクルとして構成してもよい。
【図面の簡単な説明】
【図１】本発明の一実施形態を示す全体構成図である。
【図２】本発明の一実施形態の電気制御ブロック図である。
【図３】本発明の一実施形態の作動を説明するフローチャートである。
【符号の説明】
１０…圧縮機、１８…蒸発器（室内熱交換器）、
３０…電気ヒータ（暖房性能向上手段）、
Ｈ…ホットガスヒータサイクル（暖房性能向上手段）
【図１】
0004661011.tif 000002
【図２】
0004661011.tif 000003
【図３】
0004661011.tif 000004